(57)【要約】      （修正有）【課題】小さな処理負荷で良好な通信品質が得られる、携帯無線機の提供。【解決手段】携帯端末１０は、本体ＭＢ，本体ＭＢの一方端に回転可能に連結されたカバーＣＶ１，および本体ＭＢの他方端に回転可能に連結されたカバーＣＶ２で形成される。アンテナ１２ａ，アンテナ１２ｂおよびアンテナ１２ｃは、本体ＭＢ，カバーＣＶ１およびカバーＣＶ２にそれぞれ設けられ、このうち任意の１つがスイッチで電話処理回路と接続される。ＣＰＵは、アンテナ１２ａ〜１２ｃに対応する受信レベルを周期的に検出し、検出結果に応じてスイッチの接続を切り換える。カバーＣＶ１およびＣＶ２の開閉状態が特定状態を示すときには、かかる切り換え制御を停止して、受信レベルが他のアンテナの受信レベルよりも十分高い確率で大きくなるアンテナ１２ａを固定選択する。【選択図】  図４
2006245801.tif 000002
【特許請求の範囲】
【請求項１】
本体の一方端に回動可能に結合された第１カバー、
前記本体の他方端に回動可能に結合された第２カバー、
前記第１カバーに設けられた第１アンテナ、
前記第２カバーに設けられた第２アンテナ、
前記本体に設けられた第３アンテナ、
前記第１アンテナ，前記第２アンテナおよび前記第３アンテナの１つを選択する選択手段、
前記選択手段によって選択されたアンテナによって受信された信号を処理する処理手段、
前記第１カバーおよび前記第２カバーの姿勢が所定条件を満足するか否かを判別する判別手段、
前記判別手段の判別結果が否定的であるとき前記第１アンテナ，前記第２アンテナおよび前記第３アンテナの各々の受信レベルに基づいて前記選択手段の選択の切り換えを要求する第１要求手段、および
前記判別手段の判別結果が肯定的であるとき特定アンテナの選択を前記選択手段に要求する第２要求手段を備える、携帯無線機。
【請求項２】
前記所定条件は前記第１カバーの主軸が前記本体の主軸に対して第１角度をなしかつ前記第２カバーの主軸が前記本体の主軸に対して前記第１角度とは異なる第２角度をなすという条件を含む、請求項１記載の携帯無線機。
【請求項３】
前記第１アンテナは前記第１カバーの前記本体に結合された側とは反対の端部に設けられ、
前記第２アンテナは前記第２カバーの前記本体に連結された側とは反対の端部に設けられ、
前記第３アンテナは前記本体の前記第１カバーが結合された側の端部に設けられ、
前記第１角度は２７０度ないし３６０度の範囲にあり、
前記第２角度は９０度ないし１８０度の範囲にあり、
前記特定アンテナは前記第３アンテナである、請求項２記載の携帯無線機。
【請求項４】
前記処理手段は前記本体に設けられ、
前記選択手段は前記第１アンテナおよび前記第２アンテナを優先的に選択する、請求項１ないし３のいずれかに記載の携帯無線機。
【請求項５】
前記選択手段は前記第１アンテナの受信レベルおよび前記第２アンテナの受信レベルが共に閾値を下回ったとき前記第３アンテナを選択する、請求項４記載の携帯無線機。
【請求項６】
前記信号は電話信号である、請求項１ないし５のいずれかに記載の携帯無線機。
【発明の詳細な説明】
【技術分野】
【０００１】
この発明は、携帯無線機に関し、特にたとえば、複数のアンテナを備える、携帯無線機に関する。
【背景技術】
【０００２】
従来この種の携帯無線機としては、特許文献１に開示されたものが知られている。この従来技術は、本体および本体にヒンジを介して開閉可能に連結されたカバーで形成される。本体およびカバーの各々にアンテナが設けられており、ヒンジの開閉状態に応じて２つのアンテナのどちらか一方を選択する。具体的には、ヒンジが閉状態または全開状態であればカバーのアンテナを選択し、ヒンジが中間状態であれば本体のアンテナを選択する。なお、通話はヒンジを全開にして行い、中間状態ではデータ通信が行われる。
【特許文献１】特開２００３−１０１６２３号公報〔Ｈ０４Ｍ １／０２，Ｈ０４Ｑ １／２４，３／２４，Ｈ０４Ｂ ７／２６〕
【発明の開示】
【発明が解決しようとする課題】
【０００３】
しかし、従来技術では、選択されるアンテナはヒンジの開閉状態毎に固定的に決められており、たとえばヒンジが全開状態のときにはカバーのアンテナしか選択されないので、良好な通信品質が常に得られるとは限らない。アンテナ近傍の電波状態が、手や頭部などの障害物の位置によって絶えず変化するからである。
【０００４】
そこで、その時々で電波状態のよい方のアンテナを選択する制御を行うことが考えられるが、こうすると処理負荷が増大し、バッテリの持続時間が短くなる。
【０００５】
それゆえに、この発明の主たる目的は、小さな処理負荷で良好な通信品質が得られる、携帯無線機を提供することである。
【課題を解決するための手段】
【０００６】
請求項１の発明に従う携帯無線機（１０）は、本体（ＭＢ）の一方端に回動可能に結合された第１カバー（ＣＶ１）、本体の他方端に回動可能に結合された第２カバー（ＣＶ２）、第１カバーに設けられた第１アンテナ（１２ｂ）、第２カバーに設けられた第２アンテナ（１２ｃ）、本体に設けられた第３アンテナ（１２ａ）、第１アンテナ，第２アンテナおよび第３アンテナの１つを選択する選択手段（ＳＷ１）、選択手段によって選択されたアンテナによって受信された信号を処理する処理手段（１４）、第１カバーおよび第２カバーの姿勢が所定条件を満足するか否かを判別する判別手段（Ｓ３，Ｓ７）、判別手段の判別結果が否定的であるとき第１アンテナ，第２アンテナおよび第３アンテナの各々の受信レベルに基づいて選択手段の選択の切り換えを要求する第１要求手段（Ｓ２５）、および判別手段の判別結果が肯定的であるとき特定アンテナの選択を選択手段に要求する第２要求手段（Ｓ１）を備える。
【０００７】
本体の一方端には第１カバーが回動可能に連結され、本体の他方端には第２カバーが回動可能に連結される。第１カバーには第１アンテナが設けられ、第２カバーには第２アンテナが設けられ、本体には第３アンテナが設けられる。これら第１アンテナ，第２アンテナおよび第３アンテナの１つが選択手段によって選択され、処理手段は、選択手段によって選択されたアンテナで受信された信号を処理する。第１要求手段は、第１アンテナ，第２アンテナおよび第３アンテナの各々の受信レベルに基づいて選択手段の選択の切り換えを要求する。第２要求手段は、判別手段の判別結果が肯定的であるとき特定アンテナの選択を選択手段に要求する。
【０００８】
各々姿勢が変化する第１カバーおよび第２カバーに第１アンテナおよび第２アンテナがそれぞれ設けられ、本体には第３アンテナが設けられる。これら第１〜第３アンテナのうちいずれか１つが選択手段によって選択され、こうして選択されたアンテナで受信された信号が処理手段によって処理される。かかる選択手段に対し、第１要求手段が第１アンテナ，第２アンテナおよび第３アンテナの各々の受信レベルに基づいて選択の切り換えを要求するので、極力良好な通信品質が得られる。また、判別手段の判別結果が肯定的であるときには、第２要求手段が特定アンテナの選択を要求するので、アンテナ切り換えのための処理負荷が軽減され、その結果、消費電力を抑制できる。
【０００９】
ここで所定条件として、第１カバーおよび第２カバーのとり得る姿勢のうち、第１アンテナ〜第３アンテナのいずれか１つの受信レベルが他の２つの各々の受信レベルよりも十分高い確率で大きくなるような姿勢を選び、かつ特定アンテナとして、かかる姿勢で最も高い受信レベルを示すアンテナを選べば、アンテナ切り換え制御を常時実行する場合と同等の通話品質が得られる。
【００１０】
請求項２の発明に従う携帯無線機は、請求項１に従属し、所定条件は第１カバーの主軸（Ｘ１）が本体の主軸（Ｘ０）に対して第１角度（α）をなしかつ第２カバーの主軸（Ｘ２）が本体の主軸に対して第１角度とは異なる第２角度（β）をなすという条件を含む。
【００１１】
請求項３の発明に従う携帯無線機は、請求項２に従属し、第１アンテナは第１カバーの本体に結合された側とは反対の端部に設けられ、第２アンテナは第２カバーの本体に連結された側とは反対の端部に設けられ、第３アンテナは本体の第１カバーが結合された側の端部に設けられ、第１角度は２７０度ないし３６０度の範囲にあり、第２角度は９０度ないし１８０度の範囲にあり、特定アンテナは第３アンテナである。
【００１２】
かかる携帯無線機を台上に、第１カバーの一方端および第２カバーの一方面が床面に接するように載置すれば、本体の一方端が第１カバーによって床面から極力高く持ち上げられる。この状態では、第１アンテナおよび第２アンテナは共に台と接触ないしは十分接近し、第３アンテナは台から極力離れるので、第３アンテナの受信レベルが第１アンテナおよび第２アンテナの各々の受信レベルよりも十分高い確率で大きくなる。
【００１３】
請求項４の発明に従う携帯無線機は、請求項１ないし３のいずれかに従属し、処理手段は本体に設けられ、選択手段は第１アンテナおよび第２アンテナを優先的に選択する。
【００１４】
処理手段が本体に設けられている場合、選択手段が処理手段から離れた第１アンテナおよび第２アンテナを優先的に選択するので、処理手段で発生するノイズ成分の信号への混入量を減らすことができ、その結果、通信品質が高まる。
【００１５】
請求項５の発明に従う携帯無線機は、請求項４に従属し、選択手段は第１アンテナの受信レベルおよび第２アンテナの受信レベルが共に閾値を下回ったとき第３アンテナを選択する。
【００１６】
第１アンテナ近傍の電波状態および第２アンテナ近傍の電波状態が共に悪化するような状況下で、第３アンテナによって通信を維持できる。
【００１７】
請求項６の発明に従う携帯無線機は、請求項１ないし５のいずれかに従属し、信号は電話信号である。
【発明の効果】
【００１８】
この発明によれば、小さな処理負荷で良好な通信品質が得られる。
【００１９】
この発明の上述の目的，その他の目的，特徴および利点は、図面を参照して行う以下の実施例の詳細な説明から一層明らかとなろう。
【発明を実施するための最良の形態】
【００２０】
図１を参照して、この実施例の携帯端末１０は、３つのアンテナ１２ａ〜１２ｃと、スイッチＳＷ１と、電話処理回路１４とを含む。アンテナ１２ａ〜１２ｃには端子Ｔ１〜Ｔ３がそれぞれ設けられており、スイッチＳＷ１は、電話処理回路１４を端子Ｔ１〜Ｔ３のいずれか１つに接続する。なお、現時点では、電話処理回路１４は端子Ｔ１に接続されているものとする。
【００２１】
電話処理回路１４は、移動通信システムと協働して通話機能を実現する。なお、通話機能は、電源がオンされている限り、常に動作状態にある。
【００２２】
主操作パネル３０によってダイヤル操作が行われると、ＣＰＵ４２は電話処理回路１４に発呼処理を命令する。電話処理回路１４は発呼処理を実行し、この結果、発呼信号がアンテナ１２ａから射出される。発呼処理の開始によって、携帯端末１０の状態は非通話状態から通話試行状態に移行する。
【００２３】
また、アンテナ１２ａを通して着信信号を受信すると、電話処理回路１４は着信信号をＣＰＵ４２に与える。ＣＰＵ４２は、着信を通知するべく、音声メッセージの発生をサウンドジェネレータ１８に命令し、スイッチＳＷ２を端子Ｔ４に接続する。このような着信通知処理の開始によって、携帯端末１０の状態は非通話状態から通話試行状態に移行する。サウンドジェネレータ１８から出力された音声信号は、スイッチＳＷ２を介してアンプ２０に与えられ、これによりスピーカ２２から音声メッセージが出力される。
【００２４】
着信通知に対してオフフック操作が行われなければ、通話接続は失敗に終わる。携帯端末１０の状態は、通話試行状態から非通話状態に戻る。一方、着信通知に対してオフフック操作が行われれば、通話接続は成功する。携帯端末１０の状態は、通話試行状態から通話可能状態に移行する。
【００２５】
通話可能状態に移行すると、マイクロフォン１６によって捉えられた発話音声が、電話処理回路１４による変調処理を経て、アンテナ１２ａから射出される。射出された発話音声は、移動通信システムによって通話相手の通信端末へと伝送される。
【００２６】
通話相手から送られてきた受話音声は、アンテナ１２ａによって受信され、電話処理回路１４によって復調される。スイッチＳＷ２は端子Ｔ５に接続され、このため、復調された音声信号はアンプ２０に入力される。そして、スピーカ２２から受話音声が出力される。
【００２７】
主操作パネル３０によって画面起動操作が行われると、ＣＰＵ４２は、キャラクタジェネレータ２４にキャラクタ画像の生成を命令する。これにより、ＬＣＤモニタ２６にキャラクタ画像が表示される。
【００２８】
ＬＣＤモニタ２６にキャラクタ画像が表示された状態で、主操作パネル３０および副操作パネル３２のいずれか一方または両方によって文字入力，カーソル移動等の操作が受け付けられると、ＣＰＵ４２は、キャラクタジェネレータ２４にキャラクタ画像の更新を命令し、これにより表示画像が更新される。このときサウンドジェネレータ１８からは、操作音，効果音等が出力される。
【００２９】
ここで、図２（Ａ），図２（Ｂ），図３（Ａ），図３（Ｂ）および図４を参照して、携帯端末１０は、本体ＭＢと２つのカバーＣＶ１およびＣＶ２とによって形成される。カバーＣＶ１は、図示しないヒンジを介して本体ＭＢの一方端と、軸Ｙ１の周りを回転可能に接続される。カバーＣＶ２は、図示しない別のヒンジを介して本体ＭＢの他方端と、軸Ｙ２の周りを回転可能に接続される。
【００３０】
主操作パネル３０はカバーＣＶ２の表面に設けられ、副操作パネル３２はカバーＣＶ１の表面に設けられる。アンテナ１２ａは本体ＭＢ裏面の右上端に設けられ、アンテナ１２ｂはカバーＣＶ１裏面の右上端に設けられ、アンテナ１２ｃはカバーＣＶ２裏面の右下端に設けられる。
【００３１】
図２（Ａ）および図２（Ｂ）では、カバーＣＶ１の裏面およびカバーＣＶ２の裏面が共に本体ＭＢの表面と接している。つまり、本体ＭＢの表面全体がカバーＣＶ１およびＣＶ２により覆われており、この状態を“カバー閉状態”と呼ぶ。
【００３２】
これに対して、図３（Ａ）および図３（Ｂ）、または図４では、カバーＣＶ１の裏面およびカバーＣＶ２の裏面の少なくとも一方は本体ＭＢの表面から離れており、このような状態を“カバー開状態”と呼ぶ。なお、点線は本体ＭＢの主軸Ｘ０を示し、一点鎖線はカバーＣＶ１の主軸Ｘ１を示し、二点鎖線はカバーＣＶ２の主軸Ｘ２を示している。
【００３３】
カバー開状態のうち特に図３（Ａ）および図３（Ｂ）に示す状態、すなわち主軸Ｘ１の主軸Ｘ０に対する角度αが１８０°であり、かつ主軸Ｘ２の主軸Ｘ０に対する角度βが１８０°である状態を“カバー全開状態”と呼ぶ。
【００３４】
また、特に図４に示す状態、すなわち主軸Ｘ１の主軸Ｘ０に対する角度αが３００°であり、かつ主軸Ｘ２の主軸Ｘ０に対する角度βが１５０°である状態を“カバー特定状態”と呼ぶ。この表記法に従えば、前述のカバー閉状態は、α＝β＝０である状態と定義される。
【００３５】
上記のように形成された携帯端末１０では、通話は、上記のどの状態でも行うことができる。図２（Ａ）および図２（Ｂ）に示すカバー閉状態で通話を行う場合、スピーカ２２およびマイク１６がカバーＣＶ１およびＣＶ２の下に隠れているため、携帯端末１０は、例えばカバーＣＶ１およびＣＶ２の一部が手で把持され、かつ本体ＭＢが頭部に押し当てられる。
【００３６】
図３（Ａ）および図３（Ｂ）に示すカバー開状態で通話を行う場合、携帯端末１０は、本体ＭＢ，カバーＣＶ１およびＣＶ２の一部が手で把持される。スピーカ２２およびマイク１６が露見しているので、本体ＭＢを頭部に押し当てる必要はない。
【００３７】
図４に示すカバー特定状態で通話を行う場合、携帯端末１０は、カバーＣＶ２の裏面が床面と接し、かつカバーＣＶ２の本体ＭＢと連結される側とは反対の端面が床面と接するように、台上に載置される。本体ＭＢを頭部に押し当てる必要はなく、本体ＭＢ，カバーＣＶ１およびＣＶ２の一部を手で把持する必要もない。
【００３８】
このように、携帯端末１０で手，頭部，台などの障害物が接触ないしは接近する位置は、カバーＣＶ１およびＣＶ２の開閉状態によって異なる。
【００３９】
図１に戻って、カバー状態検知回路３８は、カバーＣＶ１およびＣＶ２の開閉状態を検知する。具体的には、主軸Ｘ１の主軸Ｘ０に対する角度αと、主軸Ｘ２の主軸Ｘ０に対する角度β（図３（Ａ），図３（Ｂ）および図４参照）とが検知される。受信レベル測定回路２８は、アンテナ１２ａ〜１２ｃにそれぞれ対応する受信レベルＬ１〜Ｌ３を出力する。
【００４０】
フラッシュメモリ３６には、図５に示すようなテーブルＴｂｌが記憶される。テーブルＴｂｌには、カバー閉状態を示す角度情報（α＝β＝０）と、カバー特定状態に対応する角度情報（α＝３００，β＝１５０）とが記述される。
【００４１】
ＣＰＵ４２は、カバー状態検知回路３８の検知結果と、テーブルＴｂｌに記述された角度情報と、受信レベル測定回路２８からの受信レベルＬ１〜Ｌ３とに基づいて、スイッチＳＷ１を制御する。
【００４２】
具体的には、検知結果がカバー閉状態（α＝β＝０）またはカバー特定状態（α＝３００かつβ＝１５０）を示せば、スイッチＳＷ１の接続先を端子Ｔ１に固定する。そうでなければ、受信レベルＬ１〜Ｌ３を取得し、取得された受信レベルＬ１〜Ｌ３のうち最大のものを選択し、そしてスイッチＳＷ１を端子Ｔ１〜Ｔ３のうち選択結果に対応する端子に接続する一連の制御動作を周期的に実行する。
【００４３】
これにより、アンテナ切り換えのための制御量をできるだけ抑制しつつ、高い通話品質を実現することができる。
【００４４】
ＣＰＵ４２は、μＩＴＲＯＮなどのマルチタスクＯＳの制御下で、図６に示すメインタスクと図７に示す切り換えタスクとを並列的に実行する。メインタスクは、電源がオンされたとき起動され、以降電源がオフされるまで常に起動状態に置かれる。切り換えタスクは、メインタスクによって起動／停止される。なお、これらのフロー図に対応するプログラムは、フラッシュメモリ３６に記憶される。
【００４５】
図６を参照して、ステップＳ１では、スイッチＳＷ１を端子Ｔ１に接続する。次のステップＳ３では、カバー状態検知回路３８の出力と、フラッシュメモリ３６内のテーブルＴｂｌに基づいて、カバーＣＶ１およびＣＶ２の状態が閉状態（図２（Ａ）および図２（Ｂ）参照）または特定状態（図４参照）であるか否かを判別し、判別結果が肯定的であれば待機する。ステップＳ３の判別結果が否定的つまり閉状態でも特定状態でもなければ、ステップＳ５に移って切り換え制御タスクを起動し、そしてステップＳ７に移る。
【００４６】
ステップＳ７では、再びカバーＣＶ１およびＣＶ２の状態が閉状態または特定状態であるか否かを判別し、判別結果が否定的であれば待機する。ステップＳ７の判別結果が肯定的つまり閉状態および特定状態のいずれかであれば、ステップＳ９に移って切り換え制御タスクを終了し、そしてステップＳ１に戻る。
【００４７】
図７を参照して、ステップＳ２１では、このタスクが起動されてからまたは前回ステップＳ２３〜Ｓ２７が実行されてから所定時間が経過したか否かを判別し、判別結果が否定的であれば待機する。ステップＳ２１の判別結果が肯定的であれば、ステップＳ２３に移って、受信レベル測定回路２８からアンテナ１２ａ〜１２ｃにそれぞれ対応する受信レベルＬ１〜Ｌ３を取得する。
【００４８】
ステップＳ２５では、取得された受信レベルＬ１〜Ｌ３のうち最大のものを選択する。ステップＳ２７では、スイッチＳＷ１を選択結果に対応する端子に接続する。このため、例えば受信レベルＬ２が最大であれば、スイッチＳＷ１は端子Ｔ２に接続される。
【００４９】
以上から明らかなように、この実施例の携帯端末１０は、本体ＭＢ，本体ＭＢの一方端に回転可能に連結されたカバーＣＶ１，および本体ＭＢの他方端に回転可能に連結されたカバーＣＶ２で形成される。本体ＭＢ，カバーＣＶ１およびカバーＣＶ２にアンテナ１２ａ，アンテナ１２ｂおよびアンテナ１２ｃがそれぞれ設けられ、アンテナ１２ａ〜１２ｃのうち任意の１つがスイッチＳＷ１で電話処理回路１４と接続される。
【００５０】
ＣＰＵ４２は、アンテナ１２ａ〜１２ｃに対応する受信レベルＬ１〜Ｌ３を周期的に検出し、検出結果に応じてスイッチＳＷ１の接続を切り換える。カバーＣＶ１およびＣＶ２の開閉状態が閉状態（図２（Ａ）および図２（Ｂ）参照）または特定状態（図４参照）を示すときには、かかる切り換え制御を停止して、スイッチＳＷ１の接続先をアンテナ１２ａに固定する。閉状態および特定状態では、受信レベルＬ１が受信レベルＬ２およびＬ３よりも十分高い確率で大きくなるので、閉状態または特定状態でスイッチＳＷ１の接続先をアンテナ１２ａに固定しても、受信レベルに基づくアンテナ切り換え制御を常時行う場合と同程度の高い通話品質が得られる。
【００５１】
これにより、少ない消費電力で高い通話品質を実現することができる。
【００５２】
以下、他の実施例を説明する。この実施例の構成は、図８に示されている。この実施例が前実施例（図１参照）と異なるのは、受信レベルに関する閾値ＴＨｓおよび時間に関する閾値ＴＨｔがフラッシュメモリ３６にさらに記憶されている点、およびＣＰＵ４２が閾値ＴＨｓおよびＴＨｔを利用してアンテナ切り換え制御を行う点である。
【００５３】
アンテナ１２ａ〜１２ｃの配置，カバーＣＶ１およびＣＶ２の状態などは前実施例と同様なので、図２〜図４を援用する。メインタスクも前実施例と同様であり、図７を援用する。切り換え制御タスクは、図９に示されている。
【００５４】
前実施例の切り換え制御では、アンテナ１２ａ〜１２ｃのうち最も受信レベルの高いアンテナを選択した。この実施例の切り換え制御では、同様に受信レベルの高いアンテナを選択するものの、選択の際にアンテナ１２ｂおよび１２ｃをアンテナ１２ａより優先する。アンテナ１２ａは、アンテナ１２ｂおよび１２ｃの受信レベルが共に閾値ＴＨｓを下回ったとき選択され、アンテナ１２ｂおよび１２ｃのいずれか一方の受信レベルが閾値ＴＨｔ以上持続的に閾値ＴＨｓを上回ると、再び選択肢から除外される。
【００５５】
このような切り換え制御を行うとき、ＣＰＵ４２は、詳しくは図９のフロー図に従う処理を実行する。図９を参照して、まずステップＴＨｔで初期設定を行う。具体的には、変数ｉｍａｘに“３”をセットする。続いて、ステップＳ３３で変数ｉに“２”をセットし、ステップＳ３５ではタイマ４０をリセットおよびスタートする。そして、ステップＳ３７に進む。
【００５６】
ステップＳ３７では、スイッチＳＷ１を端子Ｔｉに接続する。このため初回起動時には、スイッチＳＷ１は端子Ｔ２と接続される。次のステップＳ３９では、受信レベルＴｉが閾値ＴＨｓを下回るか否かを判別し、判別結果が否定的であれば待機する。ステップＳ３９の判別結果が肯定的であれば、ステップＳ４１に移って変数ｉをインクリメントし、その後ステップＳ４３に移る。
【００５７】
ステップＳ４３では、変数ｉが変数ｉｍａｘより大きいか否かを判別し、判別結果が否定的であればステップＳ３７に戻る。ステップＳ４３の判別結果が肯定的であれば、ステップＳ４５に移って、タイマ値が閾値ＴＨｔを下回るか否かを判別し、判別結果が否定的であればステップＳ３３に戻る。ステップＳ４５の判別結果が肯定的であれば、ステップＳ４７に移る。
【００５８】
ステップＳ４７では、スイッチＳＷ１を端子Ｔ１に接続する。続いて、ステップＳ４９で変数ｉに２をセットし、ステップＳ５１では、受信レベルＬｉが閾値ＴＨｓを下回るか否かを判別する。この判別結果が肯定的であればステップＳ５３に移り、否定的であればステップＳ５７に移る。
【００５９】
ステップＳ５３では、変数ｉをインクリメントし、次のステップＳ５５では、変数ｉが変数ｉｍａｘを上回るか否かを判別する。この判別結果が否定的であればステップＳ５１に戻り、肯定的であればステップＳ４９に戻る。
【００６０】
ステップＳ５７では、タイマ４０をリセットおよびスタートする。続くステップＳ５９では、タイマ値が閾値ＴＨｔに等しいか否かを超えたか否かを判別し、判別結果が否定的であれば待機する。ステップＳ５９の判別結果が肯定的となると、ステップＳ６１に移って、受信レベルＬｉが閾値ＴＨｓを上回るか否かを判別する。この判別結果が否定的であればステップＳ５３に戻り、肯定的であればステップＳ３３に戻る。
【００６１】
以上から明らかなように、この実施例の携帯端末１０によれば、図１実施例と同様、少ない消費電力で高い通話品質を実現することができる。図１実施例と比べると、アンテナ選択の際に本体ＭＢの中心から遠いアンテナ１２ｂおよび１２ｃを優先するので、本体ＭＢ内の回路群で発生するノイズの通話信号への混入が極力抑制され、これにより通話品質が向上する。
【００６２】
また、アンテナ１２ｂおよび１２ｃの受信レベルが共に閾値ＴＨｓを下回ったときアンテナ１２ａを選択するので、たとえばカバーＣＶ１およびＣＶ２が共に手で把持され、その結果アンテナ１２ｂ近傍の電波状態およびアンテナ１２ｃ近傍の電波状態が共に悪化するような状況下で、アンテナ１２ａによって通話を維持できる。
【００６３】
以下、その他の実施例を説明する。この実施例は、カバー形状およびカバー特定状態を除き、図１実施例または図８実施例と同様である。この実施例に適用されるカバー特定状態を図１０に示す。図１０を参照して、この実施例の携帯端末１０は、カバーＣＶ１の本体ＭＢに連結される側とは反対の端部と、カバーＣＶ２の本体ＭＢに連結される側とは反対の端部とに傾斜が付けられており、α＝２７０°かつβ＝１５５°の状態で台上に載置される。このため、図６のステップＳ３およびステップＳ７では、α＝２７０°かつβ＝１５５°のときカバー特定状態と判別される。
【００６４】
以下、さらにその他の実施例を説明する。この実施例は、カバー形状およびカバー特定状態を除き、図１実施例または図８実施例と同様である。この実施例に適用されるカバー特定状態を図１１に示す。図１１を参照して、この実施例の携帯端末１０は、カバーＣＶ１の主軸Ｘ１方向の長さと、カバーＣＶ２の主軸Ｘ２方向の長さとの比が１：３であり、α＝３２０°かつβ＝１３０°の状態で台上に載置される。このため、図６のステップＳ３およびステップＳ７では、α＝３２０°かつβ＝１３０°のときカバー特定状態と判別される。
【００６５】
なお、図４，図１０および図１１からわかるように、カバー特定状態はカバー形状で決まるが、一般的には、本体ＭＢの一端を極力高く持ち上げるために、角度αは概ね２７０°ないし３６０°の範囲で設定され、角度βは９０°ないし１８０°の範囲で設定される。
【００６６】
なお、各実施例では、特定状態に対応する角度αおよびβの値を１組だけ記憶したが、これを複数組記憶してもよい。また、特定状態に対応する角度αおよびβの各々は、たとえば２９０＜α＜３１０，１４０＜β＜１６０のように、上限値および下限値で記述されてもよい。
【００６７】
以上では、携帯端末１０で通話を行う場合について説明したが、通話以外の無線通信たとえばデータ通信を行う場合にも、少ない消費電力で高い通信品質が実現される。
【００６８】
また、アンテナ１２ａ〜１２ｃの設置位置は、図３（Ａ）および図３（Ｂ）に示されたものに限らない。設置位置がどこであれ、アンテナ１２ａ〜１２ｃに対応する受信レベルＬ１〜Ｌ３のいずれか１つが他の２つよりも十分高い確率で大きくなるような位置関係があれば、そのような位置関係を示す情報をテーブルＴｂｌ（図５参照）に記述しておくことで同様の効果が得られる。アンテナの数が４つ以上あっても構わない。
【図面の簡単な説明】
【００６９】
【図１】この発明の一実施例の構成を示すブロック図である。
【図２】（Ａ）は図１実施例のカバー閉状態を示す正面図であり、（Ｂ）は図１実施例のカバー閉状態を示す側面図である。
【図３】（Ａ）は図１実施例のカバー全開状態を示す正面図であり、（Ｂ）は図１実施例のカバー全開状態を示す側面図である。
【図４】図１実施例のカバー特定状態を示す側面図である。
【図５】図１実施例に適用されるテーブルを示す図解図である。
【図６】図１実施例に適用されるＣＰＵ動作の一部を示すフロー図である。
【図７】図１実施例に適用されるＣＰＵ動作の他の一部を示すフロー図である。
【図８】この発明の他の実施例の構成を示すブロック図である。
【図９】図８実施例に適用されるＣＰＵ動作の一部を示すフロー図である。
【図１０】その他の実施例のカバー特定状態を示す側面図である。
【図１１】さらに他の実施例のカバー特定状態を示す側面図である。
【符号の説明】
【００７０】
１０…携帯端末
１２ａ〜１２ｃ…アンテナ
１４…電話処理回路
１６…マイク
２２…スピーカ
２６…ＬＣＤモニタ
２８…受信レベル測定回路
３８…カバー状態検知回路
４２…ＣＰＵ
ＣＶ１，ＣＶ２…カバー
ＭＢ…本体
Ｘ０〜Ｘ２…主軸
【図１】
2006245801.tif 000003
【図２】
2006245801.tif 000004
【図３】
2006245801.tif 000005
【図４】
2006245801.tif 000006
【図５】
2006245801.tif 000007
【図６】
2006245801.tif 000008
【図７】
2006245801.tif 000009
【図８】
2006245801.tif 000010
【図９】
2006245801.tif 000011
【図１０】
2006245801.tif 000012
【図１１】
2006245801.tif 000013